(57)【特許請求の範囲】
【請求項１】
空気の吸い込み及び吹き出しを行うシロッコファン（３０）と、
前記シロッコファンの吸込開口を覆うファンガード（４０）と、
を備え、
前記シロッコファンは、ボス部（３３）を含む円板部（３２）と、前記円板部の周縁部から回転軸（Ｘ）方向に延びる多翼部（３１）と、を有し、
前記ファンガードは、前記回転軸方向視で前記多翼部に対向する第１網部（４１）と、前記第１網部よりも中心側に位置し前記第１網部よりも大きいピッチの網目を有する第２網部（４２）と、を有し、
前記第１網部は、試験指（９００）が挿入不能なピッチ（Ｐ１、Ｐ２）の網目を有し、
前記第２網部は、前記試験指が挿入可能なピッチ（Ｐ４、Ｐ５）の網目を有し、
前記第２網部は、前記シロッコファンから離れる方向に膨出するとともにその中心（４３）が前記ボス部に対向し、その網目から挿入された前記試験指の長さよりも前記シロッコファンから離れている、
空気調和機（１００）。
【請求項２】
前記ボス部は、前記回転軸方向に突出しており、
前記ボス部と前記多翼部との間には、前記ファンガードから前記円板部までの距離が最も長い長離間部（３４）が形成されており、
前記第２網部は、前記回転軸方向視で前記長離間部に対向する、
請求項１に記載の空気調和機（１００）。
【請求項３】
前記第１網部は、放射状に延びる放射状リブ（Ｒ１）と、前記回転軸を中心とする同心円状であって前記放射状リブと交差する環状リブ（Ｒ２）と、を有する、
請求項１又は２に記載の空気調和機（１００）。
【請求項４】
前記第２網部は、直線状に延びる縦リブ（Ｒ３）と、直線状に延び、前記縦リブに交差する横リブ（Ｒ４）と、を有する、
請求項１〜３のいずれかに記載の空気調和機（１００）。
【発明の詳細な説明】
【技術分野】
【０００１】
本発明は、空気調和機に関する。
【背景技術】
【０００２】
従来から、ファンに直接手が触れることのできる様な製品では、回転物に指が触れ、怪我をすることを防ぐために、ファンを覆う網等を設けていた。例えば、特許文献１（実開昭６１−１７５８３５号公報）には、シロッコファンの吸込口を覆う網が図示されている。
【発明の概要】
【発明が解決しようとする課題】
【０００３】
しかし、上記特許文献１に図示されているファンガードのように指がファンに触れないように網のピッチ（間隔）を詰めると空気を吸入する抵抗が増え、性能が低下するという問題がある。また、シロッコファンのためのファンガードについては、今まであまり提案されて来なかった。
【０００４】
そこで、本発明の課題は、安全性を確保しつつ、その吸入性能の低下をなるべく抑えることが可能なシロッコファンを備えた空気調和機を提供することにある。
【課題を解決するための手段】
【０００５】
本発明の第１観点に係る空気調和機は、シロッコファンと、ファンガードとを備える。シロッコファンは、空気の吸い込み及び吹き出しを行う。ファンガードは、シロッコファンの吸込開口を覆う。シロッコファンは、円板部と、多翼部とを有する。円板部は、ボス部を含む。多翼部は、円板部の周縁部から回転軸方向に延びる。ファンガードは、第１網部と、第２網部とを有する。第１網部は、回転軸方向視で多翼部に対向する。第２網部は、第１網部よりも中心側に位置し第１網部よりも大きいピッチの網目を有する。第１網部は、試験指が挿入不能なピッチの網目を有する。第２網部は、試験指が挿入可能なピッチの網目を有する。第２網部は、シロッコファンから離れる方向に膨出するとともにその中心がボス部に対向する。第２網部は、その網目から挿入された試験指の長さよりもシロッコファンから離れている。
【０００６】
この空気調和機では、主に円板部の周縁にのみ回転物である多翼部が存在するというシロッコファンの形状を利用して安全性を確保しつつ、通風抵抗による性能の劣化を抑制する。多翼部に対向する部分、即ち指が侵入し回転物に指が接触する恐れのある範囲の網目の大きさ（ピッチ）は細かくする。それよりも中心側、即ち網の間から指が侵入しても回転物に指が接触しない範囲ではピッチを粗くする。これにより、安全性を確保しつつ、通風抵抗による吸入性能の劣化を抑制する。
【０００７】
また、この空気調和機では、回転物が近くにある第１網部では、ピッチを試験指が挿入不能なくらい小さくして安全性を確保する。回転物が比較的遠くにある第２網部では、ピッチを大きくしてファンガードによる通風抵抗を軽減する。
【０００８】
さらに、この空気調和機では、網目より挿入された試験指がシロッコファンに届かないようにボス部の近くに存在する第２網部の中央が膨らんでいる。つまり、指を挿入してもシロッコファンに触れないようになっている。これにより、安全性を確保しつつ、ファンガードによる通風抵抗を軽減する。
【０００９】
本発明の第２観点に係る空気調和機は、第１観点に係る空気調和機であって、ボス部は、回転軸方向に突出している。ボス部と多翼部との間には、ファンガードから円板部までの距離が最も長い長離間部が形成されている。第２網部は、回転軸方向視で長離間部に対向する。
【００１０】
この空気調和機では、ボス部と多翼部との間の回転物が近くに存在しない空間に対向する部分のピッチを粗くし、安全性を確保しつつ、ファンガードによる通風抵抗を軽減する。
【００１１】
本発明の第３観点に係る空気調和機は、第１観点又は第２観点に係る空気調和機であって、第１網部は、放射状リブと、環状リブとを有する。放射状リブは、放射状に延びる。環状リブは、回転軸を中心とする同心円状であって放射状リブと交差する。
【００１２】
この空気調和機では、第１網部の網目はシロッコファンの形状に迎合した形状をしている。即ち、シロッコファンの形状に合わせてピッチが細かくなっており、これによりシロッコファンの形状を利用して安全性を確保しつつ、ファンガードによる通風抵抗を軽減する。
【００１３】
本発明の第４観点に係る空気調和機は、第１観点〜第３観点のいずれかに係る空気調和機であって、第２網部は、縦リブと、横リブとを有する。縦リブは、直線状に延びる。横リブは、直線状に延び、縦リブに交差する。
【００１４】
この空気調和機では、第２網部の網目は、格子状になっている。これにより、安全性を確保しつつ、ファンガードによる通風抵抗を軽減する。
【発明の効果】
【００１５】
本発明に係る空気調和機は、安全性を確保しつつ、通風抵抗による吸入性能の劣化を抑制する。
【図面の簡単な説明】
【００１６】
【図１】空調機の冷媒回路図。
【図２】空調室内機の外観斜視図。
【図３】空調室内機の外観正面図。
【図４】前面下部のカバーを外した状態の空調室内機の正面図。
【図５】正面視におけるシロッコファンの拡大図。
【図６】ファンガードを装着した状態のシロッコファンの正面視における拡大図。
【図７】図６のＶＩＩ−ＶＩＩ断面図。
【図８】ファンガードの平面図。
【図９】ファンガードの拡大平面図。
【図１０】試験指を示す図。
【発明を実施するための形態】
【００１７】
本発明の一実施形態に係る空気調和機である空調機１００について、以下、図面を参照しながら説明する。
【００１８】
（１）空調機の全体構成
図１は、空調機１００の冷媒回路図である。以下、空調機１００の全体構成について図１を参照しながら説明する。
【００１９】
空調機１００は、冷房と暖房との両方の運転が可能であり、主に居室Ｒ内に設置される空調室内機１００ａと居室Ｒの外に設置される空調室外機１００ｂとから構成されている。空調室内機１００ａは、室内熱交換器５と、シロッコファン３０（図４参照）とを有する。空調室外機１００ｂは、圧縮機２、室外熱交換器３、膨張機構４、四路切替弁６、及び図示しないファンを有する。
【００２０】
圧縮機２は、低圧の冷媒を吸入して圧縮し、高圧にして吐出する。
【００２１】
室外熱交換器３は、冷房運転時には、冷媒を凝縮させる凝縮器として機能し、暖房運転時には、冷媒を蒸発させる蒸発器として機能する。室外熱交換器３と熱交換する空気は、ファンにより供給される。
【００２２】
膨張機構４は、高圧の冷媒を減圧・膨張させる。
【００２３】
室内熱交換器５は、冷房運転時には、冷媒を蒸発させる蒸発器として機能し、暖房運転時には、冷媒を凝縮させる凝縮器として機能する。室内熱交換器５と熱交換する空気は、シロッコファン３０により供給される。
【００２４】
四路切替弁６は、冷房運転時と暖房運転時とで、冷媒の流れを切り替える。具体的には、冷房運転時には、室内熱交換器５から延びる冷媒配管１２ｂを圧縮機２への吸入配管１０ａに接続し、圧縮機２からの吐出管１０ｂを室外熱交換器３へ延びる冷媒配管１１ａに接続する。暖房運転時には、室外熱交換器３から延びる冷媒配管１１ａを圧縮機２への吸入配管１０ａに接続し、圧縮機２からの吐出管１０ｂを室内熱交換器５へ延びる冷媒配管１２ｂに接続する。
【００２５】
空調機１００の冷媒回路では、図１に示すように、圧縮機２は、吐出管１０ｂ及び冷媒配管１１ａにより四路切替弁６を介して室外熱交換器３に接続されている。室外熱交換器３は、冷媒配管１１ｂにより膨張機構４に接続されている。膨張機構４は、冷媒配管１２ａにより室内熱交換器５に接続されている。室内熱交換器５は、冷媒配管１２ｂ及び吸入管１０ａにより四路切替弁６を介して圧縮機２に接続されている。
【００２６】
（２）空調室内機の構成
図２〜図１０を参照しながら空調室内機１００ａの構成について説明する。なお、以下において、左右、前後、上下は、図２に示した方向を意味する。
【００２７】
図２は、空調室内機１００ａの斜視図である。図３は、空調室内機１００ａの正面図である。空調室内機１００ａの正面の上部（上下方向中央部よりも上方）には、室内熱交換器５を通過し、居室Ｒ内に吹き出される空気の左右方向の風向を調整する垂直フラップ２２が設けてある。垂直フラップ２２の背面側には空気の吹出口が設けてある。空調室内機１００ａの下部（上下方向中央部よりも下方）の側面から正面は、前面下部カバー２１により覆われている。前面下部カバー２１の側面及び前面には、居室Ｒ内の空気を吸い込むための吸込口Ｉが設けられている。
【００２８】
図４は、前面下部カバー２１を外した状態の空調室内機１００ａの正面図である。シロッコファン３０は、図４に示すように空調室内機１００ａの下部に設置されている。シロッコファン３０は、ファンケーシング５０の中に収納されている。ファンケーシング５０のシロッコファン３０の吸込開口部ＯＰに対向する部分（吸込開口部ＯＰの前方）には、開口５０ａ（ベルマウスとも言う）が形成されている。このシロッコファン３０の吸込開口部ＯＰに対向する部分（吸込開口部ＯＰの前方）には、図４では図示されていないが、ファンガード４０（図８参照）が装着される。
【００２９】
（２−１）シロッコファン
図５は、正面視におけるファンケーシング５０に収納されたシロッコファン３０の拡大図である。図６は、ファンガード４０が装着された状態の図５と同様の図である。図７は、図６のＶＩＩ−ＶＩＩ断面図である。
【００３０】
シロッコファン３０は、円板部３２と、多翼部３１とを有し、円筒状になっている。当該円筒の一端は、円板が接合されたような構成となっており、当該円板にあたる部分が円板部３２である。円板部３２の周縁、即ち前述の円筒が、多翼部３１となっており、多数の翼３１ａが円板部３２の周縁から立ち上がるように設けられている。後述する回転軸Ｘ方向に円板部３２に対向する部分、即ち前述の円筒の他端に当たる部分は、開口されており、吸込開口部ＯＰとなっている。
【００３１】
シロッコファン３０は、円板部３２の中心に設けられた前後方向に延びる、即ち水平な、回転軸Ｘを中心に回転し、居室Ｒ内の空気を空調室内機１００ａ内部に吸い込む。シロッコファン３０は、モータＭ（図７参照）により回転駆動される。
【００３２】
（２−１−１）多翼部
多翼部３１は、前述のとおり円板部３２の周縁部から回転軸Ｘに向かう方向に延びる多数の翼３１ａを有する。多翼部３１の翼３１ａは、シロッコファン３０が回転することにより吸込開口部ＯＰから空気を吸い込み、吸い込んだ空気を多翼部３１よりも外側に放射状に吹き出すように構成されている。
【００３３】
（２−１−２）円板部
円板部３２は、ボス部３３及び長離間部３４を有する。
【００３４】
ボス部３３は、図７に示すように回転軸Ｘの方向に膨らみ、突出している。ボス部３３の中心は回転軸Ｘにより軸支されている。
【００３５】
円板部３２のボス部３３と多翼部３１との間には、図７に示すように、ファンガード４０から円板部３２までの距離が最も長い長離間部３４が形成されている。即ち、ファンガード４０と長離間部３４との間には、回転物が近くに存在しない空間が存在する。
【００３６】
（２−２）ファンガード
図８は、ファンガード４０の平面図である。図９は、図８のうち楕円Ａで囲われた部分の拡大平面図である。
【００３７】
ファンガード４０は、円形をしており、第１網部４１と、第２網部４２とを有する。ファンガード４０は、シロッコファン３０の吸込開口部ＯＰを覆うようにシロッコファン３０の前に装着された状態では、図７に示すようにその全体が回転軸Ｘ方向視でシロッコファン３０から離れる方向に、即ち前方に、突出している。図７におけるその突出の寸法Ｈは、４５ｍｍ以上、さらには４７ｍｍ以上であることが好ましく、本実施形態では、４７．４ｍｍである。即ち、ファンガード４０は、シロッコファン３０のうちファンガード４０の最も近くに位置する多翼部３１から少なくとも４７．４ｍｍ離れており、安全性を高めている。
【００３８】
なお、以下において登場する試験指９００は、図１０に示すように、主として、円板状の停止板９０１と、停止板９０１から延びる第１円柱部９０２と、第１円柱部９０２から延びる第２円柱部９０３と、第２円柱部９０３から延びる疑似指先部９０４とから構成されており、２つの関節部分が所定角度に曲がるようになっている。図１０の寸法は、Ｌ１＝８０ｍｍ、Ｌ２＝６０ｍｍ、Ｌ３＝３０ｍｍ、Ｌ４＝２０ｍｍ、Ｄ１＝１２ｍｍ、Ｄ２＝５０ｍｍである。すなわち、第２円柱部９０３の直径（Ｄ１）は１２ｍｍである。停止板９０１の直径（Ｄ２）は、５０ｍｍである。
【００３９】
（２−２−１）第１網部
第１網部４１は、ファンガード４０の網部のうち、回転軸Ｘ方向視において多翼部３１に対向する部分である。
【００４０】
第１網部４１は、多数の放射状リブＲ１と、１つの環状リブＲ２とを有する。放射状リブＲ１は、放射状に延びる。環状リブＲ２は、回転軸Ｘを中心とする同心円状であって放射状リブＲ１と交差する。放射状リブＲ１と環状リブＲ２とが、第１網部４１の網を形成している。図９において、ピッチＰ１の寸法は、６ｍｍ〜７ｍｍであることが好ましく、本実施形態では６．７ｍｍである。ピッチＰ２の寸法は、７ｍｍ〜７．５ｍｍであることが好ましく、本実施形態では７．１ｍｍである。したがって、第１網部４１の網目は、試験指９００が挿入不能なピッチとなっている。これにより、安全性が確保されている。
【００４１】
なお、放射状リブＲ１は、第２網部４２まで延びている。
【００４２】
（２−２−２）第２網部
第２網部４２は、第１網部４１よりも中心側に位置し第１網部４１よりも大きいピッチの網目を有する。第２網部４２は、回転軸Ｘ方向視で長離間部３４に対向する。第２網部４２は、第２環状リブＲ１２を有する。第２網部４２の後述する中心部４３を除く部分の網は、第１網部４１から延びている放射状リブＲ１と第２環状リブＲ１２とにより形成されている。
【００４３】
第２網部４２は、試験指９００が挿入不能なピッチと挿入可能なピッチとを有する。中心部４３を除く第２網部４２のピッチは、中心に向かうに連れ徐々に大きくなっている。例えば、図９において、ピッチＰ３の寸法は、９ｍｍ〜１１ｍｍであることが好ましく、本実施形態では１０ｍｍである。このようなピッチを有する第２網部４２は、試験指９００は、挿入不能である。一方、ピッチＰ４（図８参照）の寸法は、１２ｍｍ〜４９ｍｍであることが好ましく、本実施形態では１２ｍｍ以上であり、試験指９００が挿入可能である。しかし、停止板９０１は、挿入不能である。そして、第２網部４２は、第２網部４２の網目から挿入された試験指９００の長さよりもシロッコファン３０から離れている。即ち、第２網部４２とシロッコファン３０との距離は８０ｍｍよりも離れており、第２網部４２の網目から挿入された試験指９００は、長離間部３４にも、ボス部３３にも、回転軸Ｘにも、そして当然のことながら多翼部３１にも触れることはない。これにより、安全性を確保しつつ、通風抵抗ができる限り軽減されている。
【００４４】
また、第２網部４２の中心は、回転軸Ｘ方向、即ち前方に突出しているボス部３３に対向しており、中心部４３と呼ぶ。この第２網部４２のうちボス部３３に対向している中心部４３は、図７に示すように、ファンガード４０の他の部分よりもシロッコファン３０から離れる方向（ボス部３３の突出方向と同じ方向）にさらに膨出している。
【００４５】
中心部４３は、縦リブＲ３と、横リブＲ４とを有し、縦リブＲ３と、横リブＲ４とは、略直交し、格子状の網を形成している。その網目は、試験指９００が挿入可能な大きさのピッチＰ５（図８参照）を有する。但し、試験指９００の停止板９０１は、挿入不能である。なお、ピッチＰ５の寸法は、１２ｍｍ〜４９ｍｍであることが好ましい。なお、本実施形態では、中心部４３のピッチＰ５以外の網目のピッチは、試験指９００が挿入不能な大きさとなっている。また、縦リブＲ３は、第１網部４１から延びている放射状リブＲ１のうちの一部と繋がっている。横リブＲ４の一部も、第１網部４１から延びている放射状リブＲ１のうちの一部と繋がっている。
【００４６】
中心部４３は、その網目から挿入された試験指９００の長さよりもシロッコファン３０から離れている。即ち、中心部４３の網目から挿入された試験指９００は、ボス部３３にも、回転軸Ｘにも、そして当然のことながら多翼部３１にも触れることはない。これにより、安全性を確保しつつ、通風抵抗ができる限り軽減されている。
【００４７】
（３）動作
（３−１）空調機全体の動作
空調機１００の動作について図１を参照しながら説明する。
【００４８】
冷房運転時には、吸入管１０ａから圧縮機２に吸い込まれる低圧のガス冷媒は、圧縮されて高温高圧の冷媒となり、吐出管１０ｂへと吐出される。吐出された冷媒は、四路切替弁６を通過し、冷媒配管１１ａを通り、室外熱交換器３へ流れる。室外熱交換器３へ流れ込んだ冷媒は、空気と熱交換して冷却された後、冷媒配管１１ｂを介して膨張機構４へ到達する。冷媒は、膨張機構４にて減圧・膨張された後、冷媒配管１２ａを介して室内熱交換器５に流れ込む。冷媒は、室内熱交換器５にて居室Ｒ内の空気から熱を奪い、過熱のついた低圧のガス冷媒になる。過熱のついた低圧のガス冷媒になった冷媒は、冷媒配管１２ｂを介して四路切替弁６を通過し、吸入管１０ａへと流れていく。
【００４９】
暖房運転時には、吸入管１０ａから圧縮機２に吸い込まれる低圧のガス冷媒は、圧縮されて高温高圧の冷媒となり、吐出管１０ｂへと吐出される。吐出された冷媒は、四路切替弁６を通過し、冷媒配管１２ｂを通り、室内熱交換器５へ流れる。室内熱交換器５へ流れ込んだ冷媒は、居室Ｒ内の空気と熱交換して冷却された後、冷媒配管１２ａを介して膨張機構４へ到達する。冷媒は、膨張機構４にて減圧・膨張された後、冷媒配管１１ｂを介して室外熱交換器３に流れ込む。冷媒は、室外熱交換器３にて外気から熱を奪い、過熱のついた低圧のガス冷媒になる。過熱のついた低圧のガス冷媒になった冷媒は、冷媒配管１１ａを介して四路切替弁６を通過し、吸入管１０ａへと流れていく。
【００５０】
（３−２）空調室内機の動作
空調室内機１００ａの動作について、図１〜図４を参照しながら説明する。
【００５１】
居室Ｒ内に設置された空調室内機１００ａでは、シロッコファン３０の回転により居室Ｒ内の空気が吸込口Ｉから空調室内機１００ａ内に吸い込まれる。空調室内機１００ａ内に吸い込まれた空気は、空調室内機１００ａ内を上方に流れ、室内熱交換器５を通過する。室内熱交換器５を通過する際に空気は、冷房運転時には、熱を奪われ冷気となる。暖房運転時には、熱を奪い暖気となる。室内熱交換器５を通過した空気は、吹出口から居室Ｒ内へ吹き出される。
【００５２】
（４）空調機の特徴
（４−１）
上記実施形態では、空調機１００は、シロッコファン３０と、ファンガード４０とを備えている。シロッコファン３０は、空気の吸い込み及び吹き出しを行う。ファンガード４０は、シロッコファン３０の吸込開口ＯＰを覆っている。シロッコファン３０は、円板部３２と、多翼部３１とを有している。円板部３２は、ボス部３３を含む。多翼部３１は、円板部３２の周縁部から回転軸Ｘに向かう方向に延びる多数の翼３１ａを有している。ファンガード４０は、第１網部４１と、第２網部４２とを有している。第１網部４１は、回転軸Ｘ方向視で多翼部３１に対向している。第２網部４２は、第１網部４１よりも中心側に位置し第１網部４１よりも大きいピッチの網目を有している。
【００５３】
この空調機１００では、主に円板部３２の周縁にのみ回転物である多翼部３１が存在するというシロッコファン３０の形状を利用して安全性を確保しつつ、通風抵抗による性能の劣化を抑制している。多翼部３１に対向する部分、即ち指が侵入し回転物に指が接触する恐れのある範囲（第１網部４１）の網目（ピッチＰ１、Ｐ２）は細かくなっている。それよりも中心側、即ち網の間から指が侵入しても回転物に指が接触しない範囲（第２網部４２）ではピッチＰ３、Ｐ４及びＰ５を粗くしている。これにより、安全性を確保しつつ、通風抵抗による吸入性能の劣化を抑制している。
【００５４】
（４−２）
上記実施形態では、ボス部３３は、回転軸Ｘ方向に突出している。ボス部３３と多翼部３１との間には、ファンガード４０から円板部３２までの距離が最も長い長離間部３４が形成されている。第２網部４２は、回転軸Ｘ方向視で長離間部３４に対向している。
【００５５】
この空調機１００では、ボス部３３と多翼部３１との間のシロッコファン３０の回転物が近くに存在しない空間に対向する部分のピッチＰ３、Ｐ４を粗くし、安全性を確保しつつ、ファンガード４０による通風抵抗を軽減している。
【００５６】
（４−３）
上記実施形態では、第１網部４１は、試験指９００が挿入不能なピッチＰ１及びＰ２の網目を有している。第２網部４２は、試験指９００が挿入可能なピッチＰ４及びＰ５の網目を有している。
【００５７】
この空調機１００では、回転物が近くにある第１網部４１では、ピッチＰ１及びＰ２を試験指９００が挿入不能なくらい小さくして安全性を確保している。回転物が比較的遠くにある第２網部４２では、ピッチＰ４及びＰ５を大きくしてファンガードによる通風抵抗を軽減している。
【００５８】
（４−４）
上記実施形態では、第１網部４１は、放射状リブＲ１と、環状リブＲ２とを有している。放射状リブＲ１は、放射状に延びている。環状リブＲ２は、回転軸Ｘを中心とする同心円状であって放射状リブＲ１と交差している。
【００５９】
この空調機１００では、第１網部４１の網目はシロッコファン３０の形状に迎合した形状をしている。即ち、シロッコファン３０の形状に合わせてピッチＰ１及びＰ２が細かくなっており、これによりシロッコファン３０の形状を利用して安全性を確保しつつ、ファンガード４０による通風抵抗を軽減している。
【００６０】
（４−５）
上記実施形態では、第２網部４２の中心部４３は、縦リブＲ３と、横リブＲ４とを有している。縦リブＲ３は、直線状に延びる。横リブＲ４は、直線状に延び、縦リブＲ３に略直交している。
【００６１】
この空調機１００では、第２網部４２の中心部４３の網目は、格子状になっている。これにより、安全性を確保しつつ、ファンガード４０による通風抵抗を軽減している。
【００６２】
（４−６）
上記実施形態では、第２網部４２の中心部４３は、シロッコファン３０から離れる方向にさらに膨出するとともにボス部３３に対向している。このため、第２網部４２の中心部４３は、その網目から挿入された試験指９００の長さよりもシロッコファン３０から離れている。
【００６３】
この空調機１００では、網目より挿入された試験指９００がシロッコファン３０に届かないようにボス部３３が近くに存在する第２網部４２の中央（中心部４３）が膨らんでいる。つまり、指を挿入してもシロッコファン３０に触れないようになっている。これにより、安全性を確保しつつ、ファンガード４０による通風抵抗を軽減している。
【産業上の利用可能性】
【００６４】
本発明は、シロッコファンを有するエアコンや空気清浄機、等の空気調和機に有用である。
【符号の説明】
【００６５】
３０      シロッコファン
３１      多翼部
３２      円板部
３３      ボス部
３４      長離間部
４０      ファンガード
４１      第１網部
４２      第２網部
４３      中心部（第２網部の中心）
１００    空調機（空気調和機）
９００    試験指
Ｒ１      放射状リブ
Ｒ２      環状リブ
Ｒ３      縦リブ
Ｒ４      横リブ
Ｘ        回転軸
【先行技術文献】
【特許文献】
【００６６】
【特許文献１】実開昭６１−１７５８３５号公報
【図１】
0005429332.tif 000002
【図２】
0005429332.tif 000003
【図３】
0005429332.tif 000004
【図４】
0005429332.tif 000005
【図５】
0005429332.tif 000006
【図６】
0005429332.tif 000007
【図７】
0005429332.tif 000008
【図８】
0005429332.tif 000009
【図９】
0005429332.tif 000010
【図１０】
0005429332.tif 000011